(57)【要約】【課題】簡単、かつ確実に容器本体を摘み、蓋体を開け閉めすることができ便利である。【解決手段】この軟膏容器１は、軟膏を収容する容器本体１０と、容器本体１０の開口部をねじ込み方式で開口部を外側から覆う蓋体２０とからなり、容器本体１０は、本体側壁と底部の周縁とを連続し、容器内側に凹み曲面を有する曲部と、本体側壁から曲部を覆うように沿って延びる摘み部と、を有する。【選択図】図４
2015208583.tif 000002
【特許請求の範囲】
【請求項１】
軟膏を収容する容器本体と、
前記容器本体の開口部をねじ込み方式で前記開口部を外側から覆う蓋体とからなり、
前記容器本体は、
本体側壁と底部の周縁とを連続し、容器内側に凹み曲面を有する曲部と、
前記本体側壁から前記曲部を覆うように沿って延びる摘み部と、を有することを特徴とする軟膏容器。
【請求項２】
前記蓋体は、
蓋体天井の周辺に、前記容器本体の開口部を覆う状態で前記開口部の内側面に密接する環状リングを有することを特徴とする請求項１に記載の軟膏容器。
【請求項３】
前記容器本体は、
前記開口部の外周に、前記蓋体が前記開口部を覆う状態で前記蓋体の端面に密接する環状リブを有することを特徴とする請求項１に記載の軟膏容器。
【発明の詳細な説明】
【技術分野】
【０００１】
この発明は、皮膚外用剤である軟膏を皮膚に塗布する際に用いる軟膏容器に関する。
【背景技術】
【０００２】
一般に、軟膏と呼ばれる皮膚外用剤は、薬物を軟膏基材に混和して調製した半固形の外用剤であり、常温で容易に皮膚に塗布できる稠度を有し、かつ体温で軟化または融解する物性のものである。
【０００３】
このような軟膏の形態としては、ワセリン等の油性のもの、親水軟膏と呼ばれるクリーム状のもの、またはゼリー状、ゲル状のものなどがある。軟膏は、通常、ガラス、プラスチックもしくは陶器製などの瓶型容器や金属製チューブ、ラミネートチューブなどのチューブ容器に収容された状態で市販されている。このような軟膏を使用するときには、各容器の口から指やガーゼに適量の軟膏を取り、これを指などで皮膚患部に塗り広げ、必要に応じて擦り込むようにする。また、特に肛門、直腸又は膣投与に用い、使用後そのまま水洗式便器に投棄することができる水溶性押出式注入軟膏容器が提案されている（特許文献１）。
【先行技術文献】
【特許文献】
【０００４】
【特許文献１】特開２００３−２３５９３７号公報
【発明の概要】
【発明が解決しようとする課題】
【０００５】
このような従来の通常、ガラス、プラスチックもしくは陶器製などの軟膏容器で、軟膏を収容した容器本体の開口部に、蓋体がねじ込み方式で取り付けられているものでは、片手で容器本体を摘み、他方の手で蓋体を回して開けて使用し、使用後に蓋体を回して閉じている。このようにして、蓋体を開け閉めする際に容器本体が小型であったり、底部の周辺が曲面部であると、片手に容器本体を摘んで、他方の手で蓋体を回すときに容器本体を摘みに難いし、滑り易いなどの問題がある。
【０００６】
この発明は、かかる点に鑑みてなされたもので、簡単、かつ確実に容器本体を摘み、蓋体を開け閉めすることができ便利である軟膏容器を提供することを目的とする。
【課題を解決するための手段】
【０００７】
前記課題を解決し、かつ目的を達成するために、この発明は、以下のように構成した。
【０００８】
請求項１に記載の発明は、軟膏を収容する容器本体と、
前記容器本体の開口部をねじ込み方式で前記開口部を外側から覆う蓋体とからなり、
前記容器本体は、
本体側壁と底部の周縁とを連続し、容器内側に凹み曲面を有する曲部と、
前記本体側壁から前記曲部を覆うように沿って延びる摘み部と、を有することを特徴とする軟膏容器である。
【０００９】
請求項２に記載の発明は、前記蓋体は、
蓋体天井の周辺に、前記容器本体の開口部を覆う状態で前記開口部の内側面に密接する環状リングを有することを特徴とする請求項１に記載の軟膏容器である。
【００１０】
請求項３に記載の発明は、前記容器本体は、
前記開口部の外周に、前記蓋体が前記開口部を覆う状態で前記蓋体の端面に密接する環状リブを有することを特徴とする請求項１に記載の軟膏容器である。
【発明の効果】
【００１１】
前記構成により、この発明は、以下のような効果を有する。
【００１２】
前記課題を解決し、かつ目的を達成するために、この発明は、以下のように構成した。
【００１３】
請求項１に記載の発明では、容器本体は、本体側壁と底部の周縁とを連続し、容器内側に凹み曲面を有する曲部と、本体側壁から曲部を覆うように沿って延びる摘み部とを有することで、使用時に片手で容器本体の摘み部を確実に摘むことができ、蓋体を容易に開け閉めすることができ便利である。
【００１４】
請求項２に記載の発明では、蓋体は、蓋体天井の周辺に、容器本体の開口部を覆う状態で開口部の内側面に密接する環状リングを有することで、容器本体に収容した軟膏が漏れ出すことを環状リングによって防止することができる。
【００１５】
請求項３に記載の発明では、容器本体は、開口部の外周に、蓋体が開口部を覆う状態で蓋体の端面に密接する環状リブを有することで、塵埃が蓋体の端面から入り込むことを防止することができる。
【図面の簡単な説明】
【００１６】
【図１】軟膏容器の側面図である。
【図２】軟膏容器の平面図である。
【図３】軟膏容器の底面図である。
【図４】軟膏容器の断面図である。
【図５】容器本体の側面図である。
【図６】容器本体の平面図である。
【図７】容器本体の底面図である。
【図８】容器本体の断面図である。
【図９】容器本体の一部の拡大断面図である。
【図１０】蓋体の側面図である。
【図１１】蓋体の平面図である。
【図１２】蓋体の底面図である。
【図１３】蓋体の断面図である。
【図１４】容器本体に蓋体を締め付けた状態の一部の拡大断面図である。
【図１５】軟膏容器に軟膏を収容した状態を示す断面図である。
【図１６】軟膏容器の蓋体を開け閉めする状態を示す図である。
【図１７】容器本体から軟膏を取り出す状態を示す図である。
【発明を実施するための形態】
【００１７】
以下、この発明の軟膏容器の実施の形態について説明する。この発明の実施の形態は、発明の最も好ましい形態を示すものであり、この発明はこれに限定されない。
【００１８】
（軟膏容器の構成）
この実施の形態の軟膏容器を、図１乃至図１４に基づいて説明する。図１は軟膏容器の側面図、図２は軟膏容器の平面図、図３は軟膏容器の底面図、図４は軟膏容器の断面図、図５は容器本体の側面図、図６は容器本体の平面図、図７は容器本体の底面図、図８は容器本体の断面図、図９は容器本体の一部の拡大断面図、図１０は蓋体の側面図、図１１は蓋体の平面図、図１２は蓋体の底面図、図１３は蓋体の断面図、図１４は容器本体に蓋体を締め付けた状態の一部の拡大断面図である。
【００１９】
この実施の形態の軟膏容器１は、軟膏を収容する容器本体１０と、容器本体１０を外側から覆う蓋体２０とからなり、容器本体１０と蓋体２０は、合成樹脂で成形されている。容器本体１０は、上方を開放したコップ状に成形され、本体側壁１１の上部には開口部１２が形成されている。この開口部１２の外周には、雄ねじ１２ａが形成され、この雄ねじ１２ａの下方位置には、環状リブ１２ｂが形成されている。この環状リブ１２ｂは、雄ねじ１２ａより高さＨだけ高くなっている。
【００２０】
容器本体１０は、本体側壁１１の下部には、容器内側に凹み曲面１３ａを有する曲部１３が形成され、この曲部１３は本体側壁１１の下部と底部１４の周縁とを連続している。本体側壁１１の下部には、摘み部１５が形成され、この摘み部１５は、本体側壁１１から曲部１３に沿って曲部１３を覆うように延びている。この摘み部１５の先端は、底部１４の外側底面より、長さＴだけ延びており、摘み部１５が曲部１３と底部１４の全体を覆っている。
【００２１】
蓋体２０は、側壁２１の外側に凹凸２１ａが形成され、側壁２１の内側に雌ねじ２１ｂが形成されている。この雌ねじ２１ｂは、開口部１２の雄ねじ１２ａにねじ込むように構成され、蓋体２０は、容器本体１０の開口部１２をねじ込み方式で開口部１２を外側から覆うようになっている。
【００２２】
蓋体２０は、蓋体天井２２の周辺に、環状リング２３が形成されている。この環状リング２３は、蓋体２０が容器本体１０の開口部１２を覆う状態で開口部１２の内側面に密接し、環状リング２３によって開口部１２の内面がシールされる。
【００２３】
（軟膏容器の使用）
次に、軟膏容器１の使用を、図１５乃至図１７に基づいて説明する。図１５は軟膏容器に軟膏を収容した状態を示す断面図、図１６は軟膏容器の蓋体を開け閉めする状態を示す図、図１７は容器本体から軟膏を取り出す状態を示す図である。
【００２４】
図１５に示すように、軟膏容器１に軟膏を収容した状態では、蓋体２０は、蓋体天井２２の周辺に、容器本体１０の開口部１１を覆う状態で開口部１１の内側面に密接する環状リング２３を有している。この環状リング２３は、蓋体２０が容器本体１０の開口部１２を覆う状態で開口部１２の内側面に密接し、環状リング２３によって開口部１２の内面がシールされ、容器本体１０に収容した軟膏が漏れ出すことを環状リング２３によって防止することができる。
【００２５】
また、容器本体１０は、開口部１１の外周に、蓋体２０が開口部１１を覆う状態で蓋体２０の端面に密接する環状リブ１２ｂを有することで、塵埃が蓋体２０の端面から入り込むことを防止することができる。
【００２６】
軟膏を皮膚に塗擦処置するときには、図１６に示すように、片手で容器本体１０の本体側壁１１を摘むが、本体側壁１１に形成した摘み部１５が本体側壁１１と底部１４の周縁とを連続する曲部１３に沿って底部１４より延びており、摘み部１５によって確実に摘むことができる。したがって、片方の手で蓋体２０を摘み容易に蓋体２０を開け閉めすることができ便利である。
【００２７】
図１７に示すように、容器本体１０から軟膏を取り出す状態で、軟膏が少なくなっても、本体側壁１１の下部には、容器内側に凹み曲面１３ａを有する曲部１３が形成されており、本体側壁１１の下部に軟膏が溜まるデッドスペースがなく、指やガーゼに適量の軟膏を取り、これを指などで皮膚患部に塗り広げ、必要に応じて擦り込むようにすることができる。
【産業上の利用可能性】
【００２８】
この発明は、皮膚外用剤である軟膏を皮膚に塗布する際に用いる軟膏容器に適用され、簡単、かつ確実に容器本体を摘み、蓋体を開け閉めすることができ便利である。
【符号の説明】
【００２９】
１  軟膏容器
１１  本体側壁
１２  開口部
１２ａ  雄ねじ
１２ｂ  環状リブ
１３  曲部
１３ａ  凹み曲面
１４  底部
１５  摘み部
１０  容器本体
２０  蓋体
２１  側壁
２１ａ  凹凸
２１ｂ  雌ねじ
２２  蓋体天井
２３  環状リング
【図１】
2015208583.tif 000003
【図２】
2015208583.tif 000004
【図３】
2015208583.tif 000005
【図４】
2015208583.tif 000006
【図５】
2015208583.tif 000007
【図６】
2015208583.tif 000008
【図７】
2015208583.tif 000009
【図８】
2015208583.tif 000010
【図９】
2015208583.tif 000011
【図１０】
2015208583.tif 000012
【図１１】
2015208583.tif 000013
【図１２】
2015208583.tif 000014
【図１３】
2015208583.tif 000015
【図１４】
2015208583.tif 000016
【図１５】
2015208583.tif 000017
【図１６】
2015208583.tif 000018
【図１７】
2015208583.tif 000019